(57)【特許請求の範囲】
【請求項１】
油溶性染料と界面活性剤とを溶解させた揮散性薬剤を、油溶性染料に対して非染色性の担体に担持せしめたことを特徴とする効果終了時点が目視可能な機能材。
【請求項２】
上記担体が、セルロースビーズ、セルローススポンジ及び紙のセルロース多孔質体又は親水性繊維で形成された織布、不織布、又はケイ酸カルシウム、アルミナ、シリカゲル、ゼオライトの親水性多孔質素材である請求項１記載の効果終了時点が目視可能な機能材。
【請求項３】
鉱物ワックス（オゾケライト）、石油ワックス（パラフィンワックス、マイクロクリスタリンワックス）、天然ワックス（脂肪酸、カルナバワックス、ライスワックス）のワックス類を、溶融し、これに揮散性薬剤、油溶性染料、界面活性剤を混練し、この混練液を上記親水性多孔質素材の孔部に包埋した請求項２記載の効果終了時点が目視可能な機能材。
【発明の詳細な説明】
【０００１】
【発明の属する技術分野】
この発明は、芳香剤、消臭剤、抗菌剤、防カビ剤、防虫剤など揮散性薬剤を使用した機能材、特に効果の終了時点を目視によって確認することが可能な機能材に関するものである。
【０００２】
【従来の技術】
従来、芳香剤等の揮散性薬剤に、揮散性の染料を混合し、揮散性薬剤と共に、染料を同時に揮散させて、色彩の減色によって、薬剤の減少、即ち、薬効を視覚的に確認できるようにしたものがある。
【０００３】
【発明が解決しようとする課題】
ところが、上記のものは、揮散性薬剤の揮散と染料の揮散とが時間的に必ずしも一致しないので、揮散性薬剤が残存しているのに、染料が先に揮散してしまうと、薬効も終了したと判断せざるを得ず、薬剤が無駄になったり、反対に揮散性薬剤が全部揮散してしまっているのに、染料が残っていると、薬効のないものをそのまま使用してしまうという問題があった。
【０００４】
一方、揮散性薬剤の揮散に伴い、呈色性有機化合物自体が化学変化を生じることによる変色によって薬効を視覚的に確認しようとするものがある。この場合、上記のような薬効終了時点と変色との時差は生じないが、揮散性薬剤と呈色性有機化合物との組合せが重要であり、使用できる揮散性薬剤が限定されるという欠点がある。また、使用可能なものでも薬剤の揮散に伴い、呈色性有機化合物の色彩を帯びてくるものがほとんどであるので、薬効終了というイメージと結びつかないという欠点もある。
【０００５】
そこで、この発明は、揮散性薬剤の揮散と色調の変化を直接関連付けることにより、薬効の終了時期を確実に目視によって確認することができると共に、油溶性染料を溶解することができる揮散性薬剤が例外なく使用可能で、色彩の減色によって薬剤の減少を視覚的に確認することができる機能材を提供しようとするものである。
【０００６】
【課題を解決するための手段】
この発明は、油溶性染料と界面活性剤とを溶解させた揮散性薬剤を、セルロースビーズ等の親水性素材やワックス等、油溶性染料に対して非染色性、すなわち、なじみの悪い担体に担持せしめて機能材としたものである。
【０００７】
上記担体に担持させられた油溶性染料は、揮散性薬剤が存在している場合には、薬液中に溶解している。このため、担体表面が、染料が溶解した薬液によって覆われるので、担体が色彩を呈する（図１の概念図）。
【０００８】
そして、揮散性薬剤が揮散して、薬剤中の油溶性染料の濃度が高くなると、界面活性剤が凝集剤として機能し、油溶性物質に対してなじみの悪い担体表面で、油溶性染料が局所的に凝集析出して大きな固まりとなる。これにより、凝集析出した染料の固まりは、固まりの一部が担体の表面から顔を出すだけになるので、染料の色彩は目立たず、全体としては担体自体の色彩を呈する（図２の概念図参照）。
【０００９】
したがって、この色調の変化により、揮散性薬剤の揮散状態、すなわち、薬効の有無を確認することが可能となる。
【００１０】
なお、図１、図２において、符号１は担体、２は染料を示している。
【００１１】
この発明で使用する揮散性薬剤としては、後述の油溶性染料を溶解させる親油性のものであり、芳香剤として使用されるリモネン、リナロール、シトラール、カルボン、アントラニル酸メチル、抗菌・防カビ剤として使用されるアリルイソチオシアネート、オクチルアルデヒド、オイゲノール、ブロムシンナミルアルデヒド、精油・消臭剤として使用されるヒバ油、ヒノキ油、ユーカリ油、防虫剤として使用されるピレスロイド、ハッカ油、その他忌避剤、フェロモン等がある。
【００１２】
油溶性染料としては、分散染料、例えば、Ｃ．Ｉ．Ｄisp.  Ｙellow ６４、Ｃ．Ｉ．Ｄisp.  Ｙellow ５４、  Ｃ．Ｉ．Ｄisp.  Ｒed６０、Ｃ．Ｉ．Ｄisp.  Ｂlue ６０、Ｃ．Ｉ．Ｄisp.  Ｂlue ５６、Ｃ．Ｉ．Ｄisp.  Ｂlue ３３４、油溶染料、例えば、Ｃ．Ｉ．Ｓolvent  Ｙellow ３３、Ｃ．Ｉ．Ｓolvent  Ｒed５２、Ｃ．Ｉ．Ｓolvent  Ｂlue １１、建染染料、例えば、Ｃ．Ｉ．Ｖat  Ｙellow １、  Ｃ．Ｉ．Ｖat  Ｒed１、Ｃ．Ｉ．Ｖat  Ｂlue １、硫化染料、例えば、Ｃ．Ｉ．Ｓulphur  Ｙellow １、Ｃ．Ｉ．Ｓulphur  Ｒed３、Ｃ．Ｉ．ＳulphurＢlue １、媒染染料、例えば、Ｃ．Ｉ．Ｍordant  Ｙellow ３、Ｃ．Ｉ．Ｍordant  Ｒed１１、Ｃ．Ｉ．Ｍordant  Ｂlue １、アゾイック染料、例えば、Ｃ．Ｉ．Ａzoic  Ｙellow ２、Ｃ．Ｉ．Ａzoic  Ｒed２、Ｃ．Ｉ．Ａzoic  Ｂlue ６、等がある。
【００１３】
界面活性剤としては、陰イオン界面活性剤、例えば、スルホン酸塩、硫酸エステル塩、陽イオン界面活性剤、例えば、脂肪族４級アンモニウム塩、ベンザルコニウム塩、両性界面活性剤、例えば、カルボキシベタイン型、非イオン界面活性剤、例えば、ポリエチレングリコールアルキルフェニルエーテル等があり、特に、陰イオン界面活性剤が良好である。
【００１４】
界面活性剤を使用しない場合、揮散性薬剤が揮散して薬剤中の油溶性染料の濃度が高くなっても、油溶性染料が凝集析出しにくく、界面活性剤が存在する場合のように、大きな固まりは形成されずに、担体表面全体に染料が膜状に析出するため、色彩変化を判別しにくい。界面活性剤の使用量としては、油溶性染料に対し、１０〜３００重量％が好ましい。１０重量％未満では界面活性剤の効果が得にくい場合があり、３００重量％を超えると、薬剤が揮散しきらないうちに凝集析出を起こしてしまい、薬効が終了したものと勘違いする場合があるからである。
【００１５】
次に、油溶性染料を界面活性剤と共に溶解させた揮散性薬剤を担持させる担体としては、油溶性染料に対して非染色性、即ち、なじみの悪いもの、例えば、セルロースビーズ、セルローススポンジ、及び紙等のセルロース多孔質体、又は、親水性繊維で形成された織布、不織布、又は、ケイ酸カルシウム、アルミナ、シリカゲル、ゼオライト等の親水性多孔質素材、又は、鉱物ワックス（オゾケライト）、石油ワックス（パラフィンワックス、マイクロクリスタリンワックス）、天然ワックス（脂肪酸、カルナバワックス、ライスワックス）等のワックスを使用する。これは、担体として、油溶性染料に対してなじみの良いものを使用した場合、担体自体が油溶性染料によって染色されて、揮散性薬剤が揮散しても、染料が凝集せず、色彩が変化しないからと考えられる。また、上記ワックス類を溶融し、これに揮散性薬剤、油溶性染料、界面活性剤を混練し、この混練液を上記親水性多孔質素材の孔部に包埋すると、薬効の目視確認に加え、徐放性も具備できるのでより好ましい。
【００１６】
【実施例】
この発明の実施例と比較例として、以下の実験を行い、その結果を表１に示す。
【００１７】
〔実施例１〕
親油性の揮散性薬剤であるアリルイソチオシアネート（以下、「ＡＩＴ」という、関東化学（株）社製）１０ｇに、油溶性染料であるＣ．Ｉ．Ｄisp.  Ｂlue ６０を２ｍｇ、界面活性剤であるナフタリンスルホン酸塩ホルマリン縮合物３ｍｇを溶解させた液体を、セルロースビーズ（レンゴー（株）社製  ビスコパール）５ｇに含浸させた。この含浸ビーズを室温に放置してＡＩＴを完全に揮散させた。また、色調は、作製時とＡＩＴが完全に揮散した時のビーズの色を目視で判断した。なお、揮散後、ＡＩＴ１０ｇに上記ビーズを含浸すると白色になったビーズが再び青色に戻った。
【００１８】
〔実施例２〕
油溶性染料をＣ．Ｉ．Ｄisp.  Ｒed６０に代えた以外は、実施例１と同じである。
【００１９】
〔実施例３〕
揮散性薬剤を、リモネン（ナカライテスク（株）社製）に代えた以外は、実施例１と同じである。
【００２０】
〔実施例４〕
担体を、ケイ酸カルシウム（徳山曹達（株）社製  フローライトＲＭ４０）に代えた以外は、実施例１と同じである。
【００２１】
〔実施例５〕
ＡＩＴ１０ｇとＣ．Ｉ．Ｄisp.  Ｂlue ６０を２ｍｇとナフタリンスルホン酸塩ホルマリン縮合物を３ｍｇとパラフィンワックス（日本精蝋（株）社製）５ｇを加熱溶融して混練した液体を、セルロースビーズ６ｇに含浸させた。ＡＩＴの色調の判断は、実施例１と同じである。
【００２２】
〔実施例６〕
油溶性染料をＣ．Ｉ．Ａzoic  Ｒed２に代えた以外は実施例１と同じである。
【００２３】
〔実施例７〕
界面活性剤をポリオキシエチレンソルビタンモノオレエート（ナカライテスク（株）社製）に代えた以外は実施例１と同じである。
【００２４】
〔比較例１〕
Ｃ．Ｉ．Ｄisp.  Ｂlue ６０を、顔料のＰigment  Ｒ．１４６に代えた以外は、実施例１と同じである。
【００２５】
〔比較例２〕
Ｃ．Ｉ．Ｄisp.  Ｂlue ６０を、水溶性染料のＡｃｉｄ  Ｂｌｕｅ１１２に代え、揮散性薬剤をエタノールに代えた以外は、実施例１と同じである。
【００２６】
〔比較例３〕
ナフタリンスルホン酸塩ホルマリン縮合物３ｍｇを添加しない以外は、実施例１と同じである。
【００２７】
〔比較例４〕
ナフタリンスルホン酸塩ホルマリン縮合物３ｍｇを添加しない以外は実施例６と同じである。
【００２８】
〔比較例５〕
担体を、油溶性染料に対し染色性の発泡ポリウレタンに代えた以外は実施例１と同じである。
【００２９】
【表１】
0003790591.tif 000002
【００３０】
【発明の効果】
この発明によれば、以上のように、揮散性薬剤の揮散に直接関連して色調が変化する、具体的には減色する、即ち、薬効の終了時期を確実に目視によって確認することができ、また、油溶性染料を溶解する揮散性薬剤が例外なく使用可能であり、さらに、薬効終了後、揮散性薬剤を添加することにより再利用も可能な機能材を得ることができる。
【図面の簡単な説明】
【図１】揮散性薬剤の薬液中に染料が溶解して担体表面を覆っている状態を示したこの発明の概念図
【図２】揮散性薬剤が揮散して担体表面に染料が局所的に凝集析出して担体表面が露出する状態を示したこの発明の機能材の概念図
【符号の説明】
１  担体
２  染料
【図１】
0003790591.tif 000003
【図２】
0003790591.tif 000004